Podtech/llm-jp-corpus-v4-ja_patent huggingface dataset:
(57)【要約】【課題】  既設のＵ形側溝の上部が、経年変化や走行車両による振動等によりガタついたり破損が生じたＵ形側溝の上部のみを改修する工事において、効率的に改修する新規な工法を提供する。【解決手段】  改修しようとする既設のＵ形側溝の傷んだ上部を、必要範囲を切削し、予め工場で制作された、車両等の載荷荷重に耐え得る鋼構造の床版３を側溝上部に載置し、その上面に舗装体を設ける工程からなる。【選択図】図４
2012251413.tif 000002
【特許請求の範囲】
【請求項１】
既設の側溝を改修する工法であって、既設側溝の傷んだ側溝上部を、必要範囲で切削し、この側溝の上部に予め略短形に形成された鋼製の床版を、側溝上部と床版下面の間に間隙を、床版に取り付けられた上下調整ネジにて保って床版を保持する工程と、この間隙箇所に対してモルタル等の充填材を充填することを特徴とするＵ形側溝改修工法。
【請求項２】
前記の側溝上部に床版を設置する工程において、側溝内側の両側面に側板を添わす。
この場合の片側は、床版の下面に接合固定された側板を側溝内側の側面に添わし片方は、床版に上下貫通する連結長孔（小判型）に挿通した連結軸（ボルト等）にてＬ形側板を底版に連結固定することを特徴とするＵ形側溝改修工法。
【請求項３】
前記の床版の上面に砂を敷均して、その上面に舗装材（コンクリート、アスファルト、コンクリートブロック等）を敷設することを特長とするＵ形側溝改修工法。
【発明の詳細な説明】
【技術分野】
【０００１】  本発明は、Ｕ形側溝（以下「側溝」という）の改修工法に関するものである。
【背景技術】
【０００２】  図１に示すように側溝の上部の開口部分にコンクリート蓋が、装置されている。【０００３】  このコンクリート蓋を使用した道路側溝は、車両等の通過による振動や重量により、経年劣化とともに蓋体や側溝上部が傷み破損する。【０００４】  そこで破損した蓋体や側溝上部の補修が、必要となり、従来は、側溝全部を取り替えるのではなく、側溝の上部を専用の切断機を用いて除去し、この除去箇所にコンクリート蓋載置用のコンクリートブロックを据え付けてコンクリート蓋を設ける改修工法（特許文献１，２）が開発されている。【０００５】
【特許文献１】特開２００６−２１４１０４
【特許文献２】特開２００９−２２８４２３
【発明の開示】
【発明が解決しようとする課題】
【０００６】  前記の改修工事は、側溝上部を専用の切断機を用いて除去するため、側溝の断面形状寸法により適用できない場合があり切断機の操作に熟練技術をもった作業員が必要となる。【０００７】  また、従前と同様のコンクリート蓋を設ける構造のため車両等の走行、経年劣化により再度の補修が必要となり、耐久性の点で課題がある。【０００８】  そこで本発明は、側溝の断面形状寸法に左右されず、走行車両等の影響を直接に受けない新規な側溝改修工法を提案するものである。
【課題を解決するための手段】
【０００９】  本発明は、改修を必要とする側溝の蓋体、蓋体載置箇所の側溝上部を除去し、予め工場において略短形に形成された鋼構造体の床版を側溝上部に載置し、その上面に舗装体を設置する。【００１０】  従って、側溝体面に直接に車両等が走行することなく舗装面を走行することを特徴とするものである。
【発明の効果】
【００１１】  本発明は、上記の通り側溝全体を除去するのでは、なく、改修の必要としない下部は、そのまま残存するので、側溝の通水機能を維持したままで改修するものである。【００１２】  側溝上の舗装体を隣接した路面の舗装と同構造とすることにより一体構造となり、人、自転車、車両等の移動が円滑化される効果が得られる。【００１３】  上記のように、舗装体の同一化により景観の美観が形成されるものである。
【発明を実施するための最良の形態】
【００１４】  次に、本発明の実施形態を図面に基づき説明する、既設側溝１の蓋２を取り外し、そして図２に示すように既設側溝１の上部を適宣範囲を切削する。【００１５】  図３に示すように、床版３を既設側溝１の上部を切削した切削面１ａと床版下面３ａとの間に適宣の間隙を上下調整ネジ５にて保持して、床版３を載置する。
この際に、床版下面３に接合されている側板４を側溝内側面１ｂに衛合させて添わす。【００１６】  次に、Ｌ形側板６を側溝内側面１ｃに衛合させて添わし、床版３に貫設された連結長孔３ｂに固定ボルト７を挿通してＬ形側板６を床版３に接合固定する。【００１７】  この状態で床版３が上下調整ネジ５と側板４及びＬ形側板６にて、既設側溝１の上部の所定位置に定着される。【００１８】  次に、床版３の上面に作用する載荷重を既設側溝１に伝達するために、切削面１ａと床版下面３ａの間隙箇所にモルタル８又は、コンクリート等を充填する。【００１９】  そうして床版３の上面に敷砂９を敷設して舗装１０を行う。尚、敷砂９を省略して、アスファルト、コンクリート等の舗装１０を直接に行うこともできる。
【図面の簡単な説明】
【００２０】
【図１】改修前の既設側溝の断面図である。
【図２】既設側溝の上部を切削した状態の断面図である。
【図３】上部を切削した既設側溝に、本発明に係る床版を載置した状態の断面図である。
【図４】本発明に係る改修工事後の側溝の断面図である。
【図５】床版の平面図である。
【符号の説明】
【００２１】１    既設側溝
１ａ  切削面
１ｂ  側溝内側面
１ｃ  側溝内側面
２    蓋
３    床版
３ａ  床版下面
３ｂ  連結長孔
４    側版
５    上下調整ネジ
６    Ｌ形側板
７    固定ボルト
８    モルタル
９    敷砂
１０  舗装
【図１】
2012251413.tif 000003
【図２】
2012251413.tif 000004
【図３】
2012251413.tif 000005
【図４】
2012251413.tif 000006
【図５】
2012251413.tif 000007
(57)【要約】      （修正有）【課題】橋梁用落橋防止システムに用いる緩衝ゴムにおいて、狭い取り付けスペースでも緩衝ゴムを設置できるようにした緩衝ゴムを提供する。【解決手段】ボルト７が埋め込まれて接着固定された緩衝ゴム４に、吊り下げるための取り付け鋼板８を取り付けてナット９で締め込み一体化する。橋脚上に設置されたコンクリート壁３への緩衝ゴム４の設置は、取り付け鋼板８をコンクリート壁３にアンカーボルト１０などで固定することで行う。その際、取り付け鋼板８の折り曲げ位置１２を変えることで、設置位置を自由に調整でき、所定の位置に緩衝ゴム４を設置することができる。【選択図】図３
2012251411.tif 000002
【特許請求の範囲】
【請求項１】
緩衝ゴムを吊り下げられるように緩衝ゴムに埋め込み金具を設けている事を特徴とする緩衝ゴム。
【請求項２】
緩衝ゴムの上面にボルトを埋め込み緩衝ゴムと一体化させる。ボルトは緩衝ゴムを作成した後にドリルなどで穴を開け、樹脂系接着剤により固定する。ボルトを埋め込み接着した緩衝ゴムに、吊り下げるための取り付け鋼板をナットで締め込み一体化した事を特徴とする緩衝ゴム。
【発明の詳細な説明】
【技術分野】
【０００１】  本発明は、橋梁用落橋防止システムに用いる緩衝ゴムの取付構造に関する。
【背景技術】
【０００２】  従来の落橋防止システムに用いる緩衝ゴムは、鋼製ブラケットやコンクリート壁にボルトや接着剤で固定設置するものがある（例えば、非特許文献１を参照。）。【０００３】  図１により落橋防止システムに用いる緩衝ゴムの機能について説明する。図１において、橋脚２上に設置されたコンクリート壁３に緩衝ゴム４が設置されている。地震等により主桁５に移動が発生した場合、横桁１がコンクリート壁３に衝突・抵抗して橋梁の主桁５が橋脚２上から逸脱して落橋することを防止するための構造を落橋防止システムと呼んでいる。この衝突の際、構造物の衝撃による損壊を緩和することを目的として、コンクリート壁３に緩衝ゴム４を設置している。【０００４】  図２において、従来の緩衝ゴム４の一般的な取り付け方法の詳細を示している。コンクリート壁３に緩衝ゴム４を取り付けるために、緩衝ゴム４に段穴加工６を施し、ボルト５が緩衝ゴム４から突出しないようにしている。また、緩衝ゴム４に接着剤を塗布して直接コンクリート壁３に接着して取り付ける場合もある。
【非特許文献１】
【発明の開示】
【発明が解決しようとする課題】
【０００５】  以上に述べたような取り付け方法では、コンクリート壁３又は鋼製ブラケットなどと橋梁の横桁１が近接している場合、取り付けに必要な隙間がなく緩衝ゴム４を容易に設置することが出来ず破損時の取替えも出来ない。【０００６】  また、緩衝ゴム４の背面に接着剤を塗布し、コンクリート壁３に貼り付ける取り付け方法では、外部環境や作業員の接着技術・接着面の劣化などで接着力が大きく左右され低下、また、接着強度も測定できないため接着不良から緩衝ゴム４が剥がれ落ちる問題が発生している。【０００７】    本発明は、このような従来の取り付け方法が有している問題を解決しようとするためのものであり、狭いスペースでも緩衝ゴムを設置できるようにすることを目的としている。
【課題を解決するための手段】
【０００８】  そして、本発明は前記目的を達成するために、緩衝ゴム４をコンクリート壁３と主桁５の隙間に上面側から緩衝ゴム４を挿入して吊り下げ設置するように緩衝ゴム４に埋め込み金具を設けている。
【発明の８効果】
【０００９】  前述したように、本発明の緩衝ゴム４は、取り付けスペースが少ない場所でも、コンクリート壁３上部側から、緩衝ゴム４に取り付け金具８を連結して吊り下げ、設置することができる。
【００１０】  また、緩衝ゴム４を取り付けるコンクリート壁３や橋梁上部工の施工が完了したあとでも容易に施工を行うことができるため、従来のようにあらかじめ特定の位置に設置しておく必要はなく、施工後構造物の出来型誤差を確認して形状や取り付け位置が決定できる。
【００１１】  緩衝ゴムの設置面には穴加工を設けないため、衝撃を受ける面の断面欠損がなく、緩衝ゴムの性能を正しく発揮させることができる。
【発明を実施するための最良の形態】
【００１２】  以下、図３、図４に基づいて説明をする。【００１３】  緩衝ゴム４上面にドリルなどで穴を削孔後、ボルト７を樹脂系接着剤により埋め込み固定して緩衝ゴム４と一体化させる。ボルト７が埋め込み接着固定された緩衝ゴム４に吊り下げるための取り付け鋼板８を取り付け、ナット９で締め込み一体化する。【００１４】  図４のように取り付け鋼板８の折り曲げ位置１２を変えることで、設置位置を自由に調整することができ、コンクリート壁３にアンカーボルト１０などで固定して、計画する位置に緩衝ゴム４を設置することができる。
【図面の簡単な説明】
【図１】緩衝ゴム４の設置形態を示す橋梁側面図
【図２】従来の緩衝ゴム４取り付け方法の断面図
【図３】本発明の緩衝ゴムの平面図
【図４】本発明の緩衝ゴム４取り付け方法の断面図
【図１】
2012251411.tif 000003
【図２】
2012251411.tif 000004
【図３】
2012251411.tif 000005
【図４】
2012251411.tif 000006
(57)【要約】【課題】  放射線防護能力が非常に高いジルコニウムと加工性の高いシリコン使用し、混合することにより、薄く加工性の良い放射線防護シートを可能とする。【解決の手段】  ジルコニウム４、シリコン１０の割合で混合する。ジルコニウムは粉末状で使用するが、ジルコニウムの粉末は常温の空気中では発火するおそれがあるので、常に湿度を与え粉末が湿った状態でシリコンと混合した生地を作り、ロール圧延の工程での多少の熱で水分を除去し、生地内に空気が出来ないように何回も延圧して生地を造る。  この生地を１５０度から２００度の熱圧延機で薄く延ばし、製品シートを造る。【選択図】図１
2012251985.tif 000002
【特許請求の範囲】
【請求項１】
粉末のジルコニウムをシリコンに混入して平均化させ、極力薄く加工することを特徴とする放射線防護シート
【発明の詳細な説明】
【技術分野】
【０００１】  本発明は、放射線防護機能にすぐれ、非常に薄く、加工性に優れたシートに関するものである。
【技術背景】
【０００２】  放射線防護シートは鉛を利用した製品が多く、重くて使いづらく、利用範囲が狭くなっていた。
【０００３】  放射線防護服等、人間が付けて使用するに耐えられる製品、加工しやすい製品は少なかった。
【発明の概要】
【発明が解決しようとする課題】
【０００４】  解決しようとする問題点は、薄く加工しやすく、しかも放射線防護機能に優れたシートが無い点である。
【課題を解決するための手段】
【０００５】  本発明は、放射線防護作用の大きいジルコニウムと加工性が高いシリコンを混合し、放射線防護機能に優れた、非常に薄く加工性に優れたシートを造ることを特徴とする。
【発明の効果】
【０００６】  本発明の放射線防護シートはジルコニウムとシリコンを混合することにより、非常に薄く加工性に優れており、放射線防護服等にも使用できるという利点がある。
【図面の簡単な説明】
【０００７】
【図１】ジルコニウムとシリコン混合時の生地の折り方例説明断面図
【発明を実施するための形態】
【０００８】  ジルコニウムは元素番号４０の元素。元素記号はＺｒ、原子量９１．２２。比重６．５１、融点１８５０度Ｃ。金属は酸・塩其、また高温の水中で耐食性が大きい。空気中でも酸化被膜ができて強い耐食性をしめす。しかし、粉末状では空気中では常温で発火する。  以上のようなジルコニウムを、粉末状にして空気中で発火しないように、常に湿度をあたえ、湿った状態でシリコンと混合し、ジルコニウムを乾燥させつつ、効果と経済性を実現した。
【実施例１】
【０００９】  粉末状にして水につけて保存しているジルコニウムを利用し、ジルコニウム４、シリコン１０の割合で均一に混合する。【００１０】  混合方法はシリコンを薄くのばした上にジルコニウム４の割合の内、８分の１のジルコニウム粉末を均一にのせ、例えば図１のように何重かに折り重ねて、幅を狭めたロールとロールの間を通すロール圧延を行い均一に混合していく。  次に、この生地にジルコニウム粉末をのせないで何重かに折り重ねてロール延圧を行う。この作業を数十回行い１工程とする。【００１１】  前工程でできた生地にジルコニウム４の割合の内、８分の１のジルコニウム粉末を均一にのせ、工程を繰り返す。  この工程を８回行い、ジルコニウム４、シリコン１０の割合で均一に混合された生地を造る。【００１２】  さらに、ロール圧延の工程で圧延を何回も行うことは、摩擦熱によりジルコニウム粉末の湿り気を除去し、生地内に空気が入らないようにする効果がある。【００１３】  ジルコニウム４とシリコン１０の割合で均一に混合した生地を１５０度から２００度の温度で、熱圧延機を用い厚さ０．３ミリメートルの製品シートを造る。
【産業上の利用可能性】
【００１４】  出来あがった製品シートの一面に布地を熱圧延し布地を付着させて放射線防護服に使用する等、組合せしだいで様々な放射線防護用品として利用できる。
【符号の説明】
【００１５】  １  生地
【図１】
2012251985.tif 000003
(57)【要約】 【課題】排水の処理にも適用することができる放射性物質汚染水の処理方法を提供しようとするもの。 【解決手段】放射性物質汚染水を電気分解して変成する電解工程と、電解後に変成した放射性物質を除去する分離工程とを有する。放射性物質汚染水を電気分解して変成する電解工程を有するので、例えば放射性セシウム（Ｃｓ）や放射性ヨウ素（Ｉ）を、放射性次亜ヨウ素酸（ＨＯＩ）、放射性次亜ヨウ素酸セシウム（ＣｓＯＩ）、放射性ヨウ化セシウム（ＣｓＩ）などの化合物の形に変化させることができる。【選択図】なし【特許請求の範囲】
【請求項１】
放射性物質汚染水を電気分解して変成する電解工程と、電解後に変成した放射性物質を除去する分離工程とを有することを特徴とする放射性物質汚染水の処理方法。
【発明の詳細な説明】
【技術分野】
【０００１】
この発明は、放射性セシウムや放射性ヨウ素などの放射性物質を電気分解で処理する放射性物質汚染水の処理方法に関するものである。 
【背景技術】
【０００２】
地震による津波の発生が引き起こした原発事故で、放射能汚染水の処理が大きな社会問題となっている。
従来、原子力施設で発生する放射性廃液の処理方法に関する提案があった（特許文献１）。
すなわち、核燃料再処理施設では再処理工程で硝酸（ＨＮＯ3）を用い、用済み後は水酸化ナトリウム（ＮａＯＨ）で中和処理するため、硝酸ナトリウム（ＮａＮＯ3）廃液が発生する。
この提案によれば、放射性物質及びナトリウム化合物を含む放射性廃液を乾燥して乾燥体とした後、該乾燥体を加熱により溶融塩としてこれを陽極液とし、ナトリウムイオン導電性のβ−アルミナを隔膜として電気分解することにより、放射性物質及びナトリウム化合物を含む放射性廃液中から、高純度（固体）で極低放射性レベルの金属ナトリウム又は水酸化ナトリウムを高電気効率で回収できる。また、陽極側の酸性根はガスとして発生するため、必要に応じ中和、分解処理し、非放射性物質として施設外に廃棄あるいは保管することができる。更に本発明によれば、従来のイオン交換膜を用いた電気透析による処理法に比べコンパクトな設備で処理が可能である、というものである。
しかし、この技術は排水の処理には適用し難いという問題があった。 
【特許文献１】特開平９−１２７２９３号公報
【発明の開示】
【発明が解決しようとする課題】
【０００３】
そこでこの発明は、排水の処理にも適用することができる放射性物質汚染水の処理方法を提供しようとするものである。 
【課題を解決するための手段】
【０００４】
前記課題を解決するためこの発明では次のような技術的手段を講じている。 
この発明の放射性物質汚染水の処理方法は、放射性物質汚染水を電気分解して変成する電解工程と、電解後に変成した放射性物質を除去する分離工程とを有することを特徴とする。
【０００５】
この発明によると、放射性物質汚染水を電気分解して変成する電解工程を有するので、例えば放射性セシウム（Ｃｓ）や放射性ヨウ素（Ｉ）を、放射性次亜ヨウ素酸（ＨＯＩ）、放射性次亜ヨウ素酸セシウム（ＣｓＯＩ）、放射性ヨウ化セシウム（ＣｓＩ）などの化合物の形に変化させることができる。
【０００６】
そして、電解後に変成した放射性物質を除去する分離工程とを有するので、放射性次亜ヨウ素酸（ＨＯＩ）、放射性次亜ヨウ素酸セシウム（ＣｓＯＩ）、放射性ヨウ化セシウム（ＣｓＩ）などを活性炭に吸着させたり、ＲＯ膜に引っ掛けたりすることにより液相から除去することができる。
【０００７】
また、放射性物質汚染水の電気分解により、放射性セシウム（Ｃｓ）や放射性ヨウ素（Ｉ）が電気分解の際の電磁波の影響を受け、複数の陽子と複数の中性子の集合体であって、陽子同士の電気的反発により大きな歪みを孕んだ原子核が安定化し、放射能が低減し放射性が低下する。
【発明の効果】
【０００８】
この発明は上述のような構成であり、次の効果を有する。 
この発明は常温でも処理することができるので、排水の処理にも適用することができる放射性物質汚染水の処理方法を提供することができる。 
【発明を実施するための最良の形態】
【０００９】
以下、この発明の実施の形態を説明する。 
この実施形態の放射性物質汚染水の処理方法は、放射性物質汚染水を電気分解して変成する電解工程と、電解後に変成した放射性物質を除去する分離工程とを有するようにしている。
【００１０】
前記放射性物質として、例えば放射性セシウム（Ｃｓ）や放射性ヨウ素（Ｉ）を例示することができる。
電解による放射性セシウム（Ｃｓ）や放射性ヨウ素（Ｉ）の変成後の化合物として、放射性次亜ヨウ素酸（ＨＯＩ）、放射性次亜ヨウ素酸セシウム（ＣｓＯＩ）、放射性ヨウ化セシウム（ＣｓＩ）を例示することができる。
電解後に変成した放射性物質を除去する分離手段として、例えば活性炭に吸着させたり、ＲＯ膜に引っ掛けたりすることを例示することができる。
【００１１】
次に、この実施形態の放射性物質汚染水の処理方法使用状態を説明する。 
この実施形態によると、放射性物質汚染水を電気分解して変成する電解工程を有するので、例えば放射性セシウム（Ｃｓ）や放射性ヨウ素（Ｉ）を、放射性次亜ヨウ素酸（ＨＯＩ）、放射性次亜ヨウ素酸セシウム（ＣｓＯＩ）、放射性ヨウ化セシウム（ＣｓＩ）などの化合物の形に変化させることができる。
【００１２】
そして、電解後に変成した放射性物質を除去する分離工程を有するので、放射性次亜ヨウ素酸（ＨＯＩ）、放射性次亜ヨウ素酸セシウム（ＣｓＯＩ）、放射性ヨウ化セシウム（ＣｓＩ）などを活性炭に吸着させたり、ＲＯ膜に引っ掛けたりすることにより液相から除去することができる。
すなわち、常温でも処理することができるので、排水の処理にも適用することができるという利点を有する。 
【００１３】
また、放射性物質汚染水の電気分解により、放射性セシウム（Ｃｓ）や放射性ヨウ素（Ｉ）が電気分解の際の電磁波の影響を受け、複数の陽子と複数の中性子の集合体であって、陽子同士の電気的反発により大きな歪みを孕んだ原子核が安定化し、放射能が低減し放射性が低下する。
【産業上の利用可能性】
【００１４】
常温でも処理することができ、排水の処理にも適用することができることによって、種々の放射性廃棄物の処理の用途に適用することができる。
(57)【要約】      （修正有）【課題】火葬場を建設するのに広大な敷地が必要で、建設には何億もの費用がいる。又、火葬場の用地買収も葬祭場も住民の反対で建設もままならない。そこで移動できる、火葬専用車を提供する。【解決手段】大型車を、厳かで荘厳な火葬車仕立てとすると共に、無煙無臭の焼却炉を搭載し、移動可能な火葬車とした。また葬祭場も大型バスを葬儀用に改装し、葬儀及び火葬を、人里はなれた山中か、海辺などで故人の思い出の地などで実施できるようにした。移動火葬車は作るのに数千万単位の金しか掛からず、火葬場を作る費用の何十分の一単位しか掛からない。また解体もいとも簡単で大変経済的である。【選択図】図１
2012251758.tif 000002
【特許請求の範囲】
【請求項１】
バスに焼却炉を取付けた火葬専用車である。
【請求項２】
葬祭専用移動車である。
【発明の詳細な説明】
【技術分野】
【０００１】  火葬場不足と用地が住人の反対により、用地の取得が困難であり、大型車に焼却炉を付けた葬儀専用車である。
【背景技術】
【０００２】  火葬場不足と葬祭場が住民反対で、これに考案した移動出来る火葬車である。
【発明の開示】
【発明が解決しようとする課題】
【０００３】  火葬場、葬祭場の建設が困難である現状では住民との理解を得るための一番の解決法である。
【課題を解決するための手段】
【０００４】  大型で重厚な車に煙の出ない、臭いも出ない焼却炉を取付けた、火葬専用車である。移動出来るので、住民に迷惑を掛けない火葬車である。
【発明の効果】
【０００５】  住民とのトラブルも避けられ、火葬場の解消、葬祭場の解決になり、また移動できるので便利である。
【発明を実施するための最良の形態】
【０００６】  大型車に焼却炉を取付けた専用車であり、移動可能な葬儀車である。住民とのトラブルは一切ない画期的な最良の形態である。
【実施例】
【０００７】  いま、行政、関係機関と練り合わせ中で近日中に結論が出るまで、いまだ実地の例はないのである。
【産業上の利用可能性】
【０００８】  火葬場の不足用地買収の困難などからして、火葬車の導入は不可欠であり、また移動できるため、人里離れた場所で火葬する事が出来るので産業上、大いに役立つのである。
【図面の簡単な説明】
【０００９】
【図１】Ａ側面断面図  Ｂ上面断面図  Ｃ後面断面図  図面の名称  （ア）運転席  （カ）プロパンボンベ  （サ）耐火ドア  （イ）車のドア  （キ）ボイラー  （シ）ドアノブ  （ウ）排煙装置  （ク）耐火練互  （ス）ゲート  （エ）排気坑  （ケ）ガスバーナー  （オ）タイヤ  （コ）ストレッチャー
【図１】
2012251758.tif 000003
(57)【要約】【課題】強風が吹いても、破損事故を防止出来、風力発電に寄与する。【解決手段】発電手段（１）に、前後に伸縮移動（４）する回転シャフト（２）を設ける。また発電手段（１）の表面等に風圧センサー（７）を設け、また回転シャフト（２）にさらにファン支持バー（３）を該シャフトに対して回転自在の関節状態に接続して設ける。またこのファン支持バー（３）の先端に、ファン羽（５）を設ける。また回転シャフト（２）の先端に、ロッドバー（６）の先端を固定し、同じくその後端をファン支持バー（３）に固定して設ける。さらに発電手段（１）にメカニカル制御手段（８）を設け、最後に発電手段（１）に支柱（９）を設け、全体に配線を施す。【選択図】図２
2012251543.tif 000002
【特許請求の範囲】
【請求項１】
発電手段（１）に、前後に伸縮移動（４）する回転シャフト（２）を設け、また発電手段（１）の表面等には風圧センサー（７）を設け、回転シャフト（２）には、さらにファン支持バー（３）を該シャフトに対して回転自在の関節状態に接続して設ける、またこのファン支持バー（３）の先端に、ファン羽（５）を設けるまた回転シャフト（２）の先端に、ロッドバー（６）の先端を固定し、同じくその後端をファン支持バー（３）に固定して設ける、さらに発電手段（１）に油圧・バネ・歯車で動作するメカニカル制御手段（８）を設け、最後に発電手段（１）に支柱（９）を設け、全体に配線を施した特徴よりなる、風力の強さによってファン回転を制御する風力発電装置。
【発明の詳細な説明】
【技術分野】
【０００１】  本発明は、風力発電装置に関する技術である。
【背景技術】
【０００２】  従来は、台風のような強風が吹く時はファンの回転を強制的に停止させていた。
【発明の開示】
【発明が解決しようとする課題】
【０００３】  現在、風が強く吹く時はファン等が高回転にさらされて、さらに羽が風圧により曲がり、破損する事故が増えている。このような状況に於いても、ファン回転を止めることなく、安定的に回転させて発電を得られないかがテーマであった。
これら課題を解決するために本発明はなされたのである。
【課題を解決するための手段】
【０００４】  本発明では、簡単な構造構成で形成する必要があった。以下解決手段を説明する。まず周知のマグネット・発電コイル方式で発電する、発電手段（１）に、前後に伸縮移動（４）できる回転シャフト（２）を設ける。また発電手段（１）の表面に、風圧センサー（７）を設ける。この該シャフトは風圧センサー（７）と、油圧・バネ・歯車で構成した、メカニカル制御手段（８）を発電手段（１）に設けて、連動して前後に動く。さらに、回転シャフト（２）に、ファン支持バー（３）を該シャフトに対して回転自在の関節状態に接続して設ける。またさらに該支持バーの先端に、ファン羽（５）を固定して設ける。また回転シャフト（２）の先端にロッドバー（６）を固着し、さらに該ロッドバーの後端をファン支持バー（３）に、固着して設ける。最後に発電手段（１）に支柱（９）を設けて、これら全体に配線を施工して設ける。
本発明は、以上のような構成および特徴よりなる、
風力の強さによってファン回転を制御する風力発電装置である。
【発明の効果】
【０００５】  風が強くなり、特に台風のような強風に於いても、ファン羽の風に対する角度を変えたり、ファン回転数を変えたり自動制御で出来るので、回転を止めることなく、効率よく安定的に、安全に発電を続けることができる。さらにファン羽がフクロウの羽形状に形成されているので、低周波等の騒音が大幅に軽減された。
【発明を実施するための最良の形態】
【０００６】  図１、図２のごとく構造構成は極めてシンプルに形成されている。またファン羽（５）は、周知されているフクロウの羽に近い形状構造をベストしている。また従来のプロペラ羽と異なり、ファン羽（５）の根本はファン支持バー（３）なる支持棒で形成している点が非常に頑強な構成となっている。まず発電手段（１）は、強力な永久磁石と発電コイル方式で考えているが、このモーター方式の軸は前後に移動する構造に形成されている。つまり発電手段（１）に、前後に伸縮移動（４）出来る回転シャフト（２）を設ける。また発電手段（１）の表面等には風圧センサー（７）を設ける。この該センサーはファン羽（５）への風圧を捕らえて、油圧・バネ・歯車等のメカニカル制御手段（８）で該シャフトを前後に動かす役目を果たす。つぎに回転シャフト（２）に、堅牢なファン支持バー（３）を該シャフトに対して回動自在の関節状態に接続して設ける。また、該支持バーの先端に、ファン羽（５）を固定して設ける。さらに回転シャフト（２）の先端にロッドバー（６）を固着し、さらにまた該ロッドバーの後端をファン支持バー（３）に固着して設ける。そしてつぎに発電手段（１）に、風圧センサー（７）よりの風圧信号等で動作するメカニカル制御手段（８）を設ける。そして最後に発電手段（１）に支柱（９）を設けて、これら全体に配線を施工して設ける。
本発明は以上のような構成であり、これを使用せんとするときには、【０００７】  風通しの良い場所に設置する。風を受けてファン羽が回転を始めると、発電手段より電気が起電する。ここで強風が吹いてくると、風圧センサーが働きメカニカル制御装置に風圧信号が送られ、回転しているファン羽の回転シャフトが前方に迫出して来る。また、本発明によれば風向（１０）は後方より常に、受け取る方式であるからファン羽に掛かる風圧は前方に迫出す動作にもなっている。この該シャフトの伸縮移動によりロッドバーが前に引っ張られ、ファン支持バーが前に倒れて来る。この時にファン羽も前方に一緒に、傘が窄むように倒れて来る。これにより、風に対してファン羽の面角度が最小になり、風圧を後ろに逃がすために回転数も適度に調整され、安定的に発電作業は止めずに続行出来る。また風が弱くなると、該センサーが働き、あるいはファン羽に掛かっていた風圧が減少してきて、バネや油圧の戻り動作が働き、該シャフトが後退して、ファン羽を目一杯開くので、回転が持続できる。つまり、メカニカル制御手段で回転条件を変えれば、その条件で一定の回転力が実施でき、発電力を得る事ができる。
【図面の簡単な説明】
【０００８】
【図１】  本発明の斜視図である。
【図２】  本発明の強風時の説明斜視図である。
【図３】  本発明と比較の従来装置の参考図（写真）である。
【符号の説明】
【０００９】    １  発電手段
２  回転シャフト
３  ファン支持バー
４  伸縮移動
５  ファン羽
６  ロッドバー
７  風圧センサー
８  メカニカル制御手段
９  支柱
１０  風向
【図１】
2012251543.tif 000003
【図２】
2012251543.tif 000004
【図３】
2012251543.tif 000005
(57)【要約】【課題】本発明は、サイクロンの風力効果を利用して、筒内部に回転風を起こし、内部の羽部分に風をあて、軸を通じて発電機を回し、発電を行う風力発電機です。【手段】車載などに応用できる、風力発電機で、全面で風を受けない為、スピードの速い移動体の設置に向く風力発電機である。【選択図】図１
2012251541.tif 000002
【特許請求の範囲】
（１）サイクロン効果を利用しての、発電装置。
（２）羽がカバー内にある形態での発電方法。
（３）移動体に設置する、風力発電装置。
【発明の詳細な説明】
【技術分野】
【０００１】本発明は、サイクロン掃除機の吸入方式を風力に置き換え回転を加えた風を内部の回転翼に当てて、中心軸を回転させて、中心軸上に発電機を設置して電気を起こす装置。
【背景技術】
【０００２】従来は、直接回転翼に風を当てる方式の風力発電機はあるが風に回転力をつけて回転翼に当てる方式は見当たらない。
【先行技術文献】
【０００３】
【発明の概要】
【発明が解決しようとする課題】
【０００４】直接、風の風力を回転翼に当てると風のオーバーワークにより回転翼の、破壊もしくは、発電機のオーバーヒートにいたることもありえる、回転翼の形状しだいでは，風の負荷に耐えれない。
【課題を解決する為の手段】
【０００５】入力する風の量とスピードによる圧力も調整できオーバーフロウによる逃がしも設置しやすい、サイクロン効果により、より一層の回転力をつけた風が回転翼に当たるため効率よく回転軸を回せる，大きな場所も、とらずに設置出来、入力口の幅と高さが取れれば設置できる。
【発明の効果】
【０００６】車載も可能になり、ハイブリッド車、電気自動車の補助的発電、電車などのあらゆる移動する時に風を受ける移動体に設置できて、発電をうながす。
形も流線型にも設計できて、空気抵抗もなくせる。
【図面の簡単な説明】
【０００７】
【図１】本発明の側面図である。
【発明を実施するための形態】
【０００８】以下、本発明の実施の形態について説明する。
▲１▼の空気及び風力の吸入口から空気が流れ込む（ある程度の圧をもった）中に入る時にサイクロン効果で回転する風に変わる。
▲２▼の羽に風が当たり羽が回転する、回転が軸に伝わり▲３▼の発電機が回り発電する、風は、▲４▼から逃げ▲２▼の羽の中をとうり▲３▼の発電機を冷やしながら、外に逃げる。
▲５▼は軸の熱を防ぐカップリングである。
【符号の説明】
【０００９】▲１▼空気及び風力の導入とサイクロン風発生装置。
▲２▼回転する風力を当て回転させるための羽、羽の回転で軸を回す。
▲３▼軸からの回転で回る発電機。
▲４▼回転の終わった風を逃し発電機も冷やす役目もする。
▲５▼軸守る、カップリング。
【図１】
2012251541.tif 000003
(57)【要約】      （修正有）【課題】従来の水車発電の場合、得られる電力分は同等以上のエネルギーを与える為、水流水圧を同等以上に加えなければならなかった。当発明は、わずかな起動電力でより多くの電力を造ることができる。【解決手段】質量の大きい回転体の慣性力を利用することにより、より多くの電力を引き出すことができる。【選択図】図１
2012251540.tif 000002
【特許請求の範囲】
【請求項１】
重量物の慣性エネルギーを利用した発電方法
【発明の詳細な説明】
【技術分野】
【０００１】  本発明は、質量の大きい回転体の慣性力を利用した発電機に関する。
【背景技術】
【０００２】  従来の水車を利用した発電などがあるが、水圧を使って回す為、水量に水流が必要であったが、当発明は、水車のようにかけた水圧だけを電力として取り出すのではなく、より小さな起動力で大きなエネルギーを引き出した。ポテンシャルエネルギーを活用した。
【発明の概要】
【発明が解決しようとする課題】
【０００３】  従来の水車発電の場合、得られる電力分は同等以上のエネルギーを与える為、水流水圧を同等以上に加えなければならなかった。当発明は、わずかな起動電力でより多くの電力を造ることができる。
【課題を解決するための手段】
【０００４】  原理図から▲１▼の半径をｌとし、▲１▼の中心の軸の半径をＲとすると、テコの原理でＲ／ｌの比で▲１▼を回転させることができる。▲１▼の重量物が回転すると大きな慣性力が発生し、同軸▲３▼の発電モーターが回転し、大きな電力が得られる。▲４▼の小型起動モーターは、▲１▼の回転と同期をとりながら▲５▼のカムでトリガーするので、▲１▼の回転は慣性力を維持する。
【発明の効果】
【０００５】  小さなエネルギーで大きなエネルギーを引き出し、且つ公害がないので理想のエネルギーと言える。ポテンシャルエネルギーの有効活用と言える。
【発明を実施するための形態】
【０００６】  ▲３▼の発電モーターの電力で、▲４▼の起動モーターに必要な電力を提供する。（設置の当初起動は手動で回す。）始動を始めて得られた電力は、直流の場合はバッテリーに充電して、ＤＣ−ＡＣコンバーターで商用電力５０ＨＺ、６０ＨＺを得ることができる。
【実施例】
【０００７】  一般家庭の２０ＫＷ位なら１ｍ３のスペースで済み、価格も毎月の電気料金ほどの支払いで約５年で所有物とすることができる。
【産業上の利用可能性】
【０００８】  ▲１▼の外径と重量を増すことにより、原発並みのエネルギーも可能で、且つクリーンエエネルギーである。
【図１】
2012251540.tif 000003
【図２】
2012251540.tif 000004
【手続補正書】
【提出日】平成23年8月2日(2011.8.2)
【手続補正１】
【補正対象書類名】明細書
【補正対象項目名】全文
【補正方法】変更
【補正の内容】
【発明の詳細な説明】
【技術分野】
【０００１】  本発明は、質量の大きい回転体の慣性力を利用した発電機に関する。
【背景技術】
【０００２】  従来の水車を利用した発電などがあるが、水圧を使って回す為、水量に水流が必要であったが、当発明は、水車のようにかけた水圧だけを電力として取り出すのではなく、より小さな起動力で大きなエネルギーを引き出した。ポテンシャルエネルギーを活用した。
【発明の概要】
【発明が解決しようとする課題】
【０００３】  従来の水車発電の場合、得られる電力分は同等以上のエネルギーを与える為、水流水圧を同等以上に加えなければならなかった。当発明は、わずかな起動電力でより多くの電力を造ることができる。
【課題を解決するための手段】
【０００４】  原理図から▲１▼の半径をｌとし、▲１▼の中心の軸の半径をＲとすると、テコの原理でＲ／ｌの比で▲１▼を回転させることができる。▲１▼の重量物が回転すると大きな慣性力が発生し、同軸▲３▼の発電モーターが回転し、大きな電力が得られる。▲４▼の小型起動モーターは、▲１▼の回転と同期をとりながら▲５▼のカムでトリガーするので、▲１▼の回転は慣性力を維持する。
【発明の効果】
【０００５】  小さなエネルギーで大きなエネルギーを引き出し、且つ公害がないので理想のエネルギーと言える。ポテンシャルエネルギーの有効活用と言える。
【図面の簡単な説明】
【０００６】
【図１】発電機回転体の上面原理図
【図２】発電機実体側面図
【発明を実施するための形態】
【０００７】  ▲３▼の発電モーターの電力で、▲４▼の起動モーターに必要な電力を提供する。（設置の当初起動は手動で回す。）始動を始めて得られた電力は、直流の場合はバッテリーに充電して、ＤＣ−ＡＣコンバーターで商用電力５０ＨＺ、６０ＨＺを得ることができる。
【実施例】
【０００８】  一般家庭の２０ＫＷ位なら１ｍ３のスペースで済み、価格も毎月の電気料金ほどの支払いで約５年で所有物とすることができる。
【産業上の利用可能性】
【０００９】  ▲１▼の外径と重量を増すことにより、原発並みのエネルギーも可能で、且つクリーンエエネルギーである。
(57)【要約】【課題】近年、電器の小型化の技術進歩にしたがって、消費電力が著しくなっていて、太陽光発電電池の効率向上によって、小型の太陽電池で小型な家電を利用できるようになってきた。しかし、太陽電池を利用する小型扇風機が現在、製品として開発されているが、羽のない小型扇風機はいままではない【解決手段】本発明は、太陽電池を含む自然エネルギー、及び通常の商用電力から変換された直流、あるいは直流電源直接に利用できる電源で電力を供給し、羽のない小型扇風機を稼動する。よって、エコ性と安全性の向上を達成できる。【選択図】図１
2012251539.tif 000002
【特許請求の範囲】
【請求項１】
直流を利用できる羽無し扇風機構造。
【請求項２】
直流を利用できる、机の上に置ける直径２０ｃｍ以下の羽無し小型扇風機構造。
【請求項３】
太陽光などの自然エネルギーを利用できる羽無し扇風機構造。
【請求項４】
上記１、２、３請求項を用いるｕｓｂなどの直流電源入力構造。
【請求項５】
上記１、２、３請求項を用いる交流直流変換構造。
【請求項６】
上記１、２、３請求項を用いる直流電池の利用構造。
【発明の詳細な説明】
【技術分野】
【０００１】本発明は、ソーラー発電を利用できる直流入力の羽無し扇風機である。
【背景技術】
【０００２】従来より、太陽光発電はグリーンで無限蔵のエネルギーとして注目を浴びており、設置が増えてきている。しかし、太陽電池の重さと発電量の出力から、応用においていろいろ制限されている。【０００３】一方、電器の小型化の技術進歩にしたがって、消費電力が著しくなっていて、太陽光発電電池の効率向上によって、小型の太陽電池で小型な家電を利用できるようになってきた。
【発明の概要】
【発明が解決しようとする課題】
【０００４】太陽電池を利用する小型扇風機が現在、製品として開発されているが、羽のない小型扇風機はいままではない。本発明は、より安全性をたかめるため、太陽光発電を利用できる羽のない扇風機を開発する。
【課題を解決するための手段】
【０００５】上記問題を解決するため本発明は、太陽電池を含む自然エネルギー、及び通常の商用電力から変換された直流、あるいは直流電源直接に利用できる電源で電力を供給し、羽のない小型扇風機を稼動する。
【発明の効果】
【０００６】本発明によれば、太陽電池などの自然エネルギーを利用でき、且つ直流を利用できる羽無し小型扇風機によって、エコ性と安全性の向上を達成できる。
【図面の簡単な説明】
【０００７】
【図１】本発明の設置例
【発明を実施するための形態】
【０００８】以下、本発明の実施例の形態について説明する。
【０００９】（イ）太陽電池（図１−１）を設置する。
（ロ）太陽電池（或いは他の直流電源（図１−１））からの出力を扇風機の直流入力（図１−２）に接続する。
（ハ）スイッチを入れると、扇風機の送風枠体（図１−１）から風を送風する。
【００１０】以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施の形態では、羽のない丸枠を複数にし、或いは丸以外の形などの羽無しの扇風機への変更、改良を加えても良い。
【符号の説明】
【００１１】図１
１：送風枠体
２：架台
３：直流送電装置
４：ｕｓｂ入力
５：太陽電池
【図１】
2012251539.tif 000003
(57)【要約】【課題】  首の後ろ側の上部を冷やさないようにすると共に、温めるようにするためのネックウォーマーを提供する。【解決手段】  ネックウォーマーの首の後ろ側の部分を頭頂部に向けて、丸い山形に形成することを特徴としたネックウォーマー。【選択図】図１
2012251279.tif 000002
【特許請求の範囲】
【請求項１】
ネックウォーマーの首の後ろ側の部分を頭頂部に向けて、丸い山形に形成したことを特徴とするネックウォーマー。
【発明の詳細な説明】
【技術分野】
【０００１】  本発明は、首の後ろ側の上部を冷やさないようにすると共に、温めるようにするためのネックウォーマーに関するものである。
【背景技術】
【０００２】  従来、ネックウォーマーの首の後ろの部分は、まっすぐであった。
【発明の概要】
【発明が解決しようとする課題】
【０００３】  そのため次のような問題点があった。
（イ）首の後ろ上部（頭下部も含む）首と頭の境目辺りで、冷やすと体調を崩すと言われ    ている部分まで覆えないため、首の後ろ上部が冷えるままになってしまって温めるこ    とができなかった。
（ロ）たとえ、首後ろ上部を冷やさないようにするために帽子をかぶってネックウォーマ    ーをつけても、首を動かしているうちに帽子とネックウォーマーの間にすき間ができ    てしまい、やはり冷えから守ること、および、温めることができなかった。
本発明は、以上の問題点を解決するためになされたものである。
【課題を解決するための手段】
【０００４】  ネックウォーマーの首の後ろ側の部分を頭頂部に向けて丸い山形に形成する。
以上のように構成されたネックウォーマーである。
【発明の効果】
【０００５】  首の後ろ側上部、中部、下部、首の前側、そして、耳一帯をすき間なく一つの面で覆えるのですき間から冷えることもなくなり、その温かさは温かさが温かさを呼んで格別なぬくもりになる。
【図面の簡単な説明】
【０００６】
【図１】  本発明の正面図である。
【図２】  本発明の展開図である。
【発明を実施するための形態】
【０００７】  以下本発明の実施するための形態を説明する。
ネックウォーマーの首の後ろ側の部分を頭頂部に向けて、半円状の山形に形成する。
本発明は、以上のような構造である。
本発明の使い方を説明する。
ネックウォーマーの山形の部分を後頭部にあてながら、ネックウォーマーを首の後ろにあてる。
山形の部分を帽子の中に入れて、帽子をかぶり、安定させたあと、ネックウォーマーの前の部分を交差させたりすることによって整える。
【符号の説明】
【０００８】    １  ネックウォーマー
２  首の後ろ側の山形の部分
【図１】
2012251279.tif 000003
【図２】
2012251279.tif 000004
(57)【要約】【課題】眠るとき、肩、首元、布団から透けて肩こり、疲れの取れない原因になって、います、四季を通じて肩、首もとの冷えを守り、保温布を取り替え調整出来、洗濯もできます。【解決手段】四季を通じて保温布を取替え頚椎を温めて体の活性化に繋がり、体全体が、健康体になります。【選択図】図１
2012251283.tif 000002
【特許請求の範囲】
【請求項１】
従来の肩掛けは、肩から胸に掛けての肩掛けであるが、本商品は肩と首筋に特化した
【請求項２】
肩こりの解消、頚椎を保温することによって、血の循環良くなり各臓器が活性化されます。
【請求項３】
従来の肩掛けは、四期を通じて使用できなかった、が、保温布をとり変えることにより四季に対応できる。一年を通じて肩こりに対応できる
【請求項４】
首回りの（ホック）をはずし洗濯でき、いつも清潔感保てる。
【発明の詳細な説明】
【技術分野】
【０００１】本発明は肩こりの解消、各臓器の活性化、疲れの解消、四季に応じて保温布の取替え、四季を通じて使用でき、洗濯も出来ます・
【背景技術】
【０００２】従来は肩掛け、四季を通じて使用でき、保温調整出来る肩掛けがなかった
【特許文献１】
【０００３】
【特開】
２０２３  ０００００号広報（第０頁）
【発明の開示】
【発明が解決しようとする課題】
【０００４】ホックを取り外し簡単に洗濯でき、保温調整出来、肩こり各臓器の活性化を即して疲れも取れ、夜寝るとき装着して朝取り外す簡単に治療でき、時間のロスも省けて健康体が維持できます。
【課題を解決するための手段】
【０００５】病院、医院、の通院を少なくして、肩掛け寝るときに掛け、朝起きたときに外し時間のロスを少なくして効率よく体のケアをしていく肩、頚椎をあっためることにより、体全体の健康に繋がります。
【図１】
2012251283.tif 000003
【図２】
2012251283.tif 000004
【手続補正書】
【提出日】平成23年8月12日(2011.8.12)
【手続補正１】
【補正対象書類名】明細書
【補正対象項目名】全文
【補正方法】変更
【補正の内容】
【発明の詳細な説明】
【技術分野】
【０００１】本発明は肩こりの解消、各臓器の活性化、疲れの解消、四季に応じて保温布の取替え、四季を通じて使用でき、洗濯も出来ます。
【背景技術】
【０００２】［従来は肩掛け、四季を通じて使用でき、保温調整出来る肩掛けがなかった。【０００３】
【特許文献１】［特開］２０２３  ０００００号広報（第０頁）
【発明の開示】
【発明が解決しょうとする家題】
【０００４】ホックを取り外し簡単に洗濯でき、保温調整出来、肩こり各臓器の活性化を即して疲れも取れ、夜寝るとき装着して朝取り外す簡単に治療でき、時間のロスも省けて健康体が維持できます。
【課題を解決するための手段】
【０００５】病院、医院、の通院を少なくして、肩掛け寝るときに掛け、朝起きるときに外し時間のロスを少なくして効率よく体のケアをしていく肩、頚椎をあっためることにより、体全体の健康に繋がります。
【図面の簡単な説明】
【０００６】
【図１】立面図
【図２】平面図
(57)【要約】      （修正有）【課題】冬場寒い折膝冷えで、しびれ、行動動作の緩慢、転倒の危惧にちょく面し、体の動きが全般に鈍くなる事を防止するための膝当ての提供。【解決手段】快適膝当てを用いて、膝を温める事により、血の循環が良くなり、痺れる事が無く、朝装着して夜外すことを毎日繰り返すことにより、膝を守り膝の予防につながり、冬の屋外での作業、行動の活発化、雪道転倒時の膝クッションでの膝の保護、膝手術後の保温回復を促進させ、気持ちの良い日々を過ごすことができる。【選択図】図１
2012251284.tif 000002
【特許請求の範囲】
【請求項１】
快適膝当て、冬の膝冷えの予防、膝の冷えによる膝痛、老化予防膝冷え硬直による歩行困難、緩和。
【請求項２】
膝保温による冬の屋外での作業、行動の活発化、雪道転倒時の膝クッションで膝の保護、膝手術後の保温回復の促進
【発明の詳細な説明】
【技術分野】
【０００１】本発明は、冬の膝冷えの予防、膝冷えで起こりえる病の予防、膝、老化予防、膝の保温により行動活発化、能率の向上う、膝手術後の回復促進に
【背景技術】
【０００２】膝の老化予防、活性化につながる、生活に密着した膝当がなっかた。
【特許文献１】
【０００３】
【特開】
２０２３  ０００００号広報（０頁）
【発明の開示】
【発明が解決しようとする課題】
【０００４】歩行に一番大事な膝を守り、冷えによる膝の痛み、しびれ、老化を予防。
【課題を解決するための手段】
【０００５】朝装着して夜外す、毎日繰り返すことにより、膝を守り膝の予防につながり快適な生活ができます
【図１】
2012251284.tif 000003
【図２】
2012251284.tif 000004
【手続補正書】
【提出日】平成23年10月20日(2011.10.20)
【手続補正１】
【補正対象書類名】明細書
【補正対象項目名】全文
【補正方法】変更
【補正の内容】
【発明の詳細な説明】
【技術分野】
【０００１】本発明は、冬の膝冷えの予防、膝冷えで起こりえる病の予防、膝、老化予防、膝の保温により行動活発化、効率の向上う、膝手術後の回復促進に
【背景技術】
【０００２】膝の老化予防、活性化につながる、生活に密着した膝当がなかった。【０００３】
【特許文献１】［特開］２０２３  ０００００号広報（０頁）
【発明の開示】
【発明が解決しようとする課題】
【０００４】歩行に一番大事な膝を守り、冷えによる膝の痛み、しびれ老化を予防。
【課題を解決するための手段】
【０００５】朝装着して夜外す、毎日繰り返すことにより、膝を守り膝の予防につながり快適な生活ができます
【図面の簡単な説明】
【０００６】
【図１】  平面図
【図２】  横面図
(57)【要約】      （修正有）【課題】刺繍をした箇所の裏側というのは、上糸と下糸とが絡み合い、絡み合っている箇所は固く直接肌に触れるとチクチク感となって不快であった。これを解消させる為に下糸を除去する事を目的とする。【解決手段】刺繍をする生地１の上に圧着シート２を乗せ、その上から刺繍をする。このとき、刺繍の下糸を水溶性の下糸を使用する。その後、圧着シート２の不要な箇所を取除き、刺繍をする生地１と刺繍の上糸４とを圧着し、その後、水溶性の下糸を水により溶解除去し、仕上げる。【選択図】図１
2012251281.tif 000002
【特許請求の範囲】
【請求項１】
刺繍をする際に生地と刺繍の上糸との間に圧着のシートをはさんでおく。
刺繍を入れた後、圧着シートの作用により生地と刺繍の上糸とを圧着させる。この時、あらかじめ刺繍の下糸を水溶性のものにしておき、生地と刺繍の上糸とを圧着させた後、水で溶かして完全除去して仕上げる。
または、水溶性の下糸を使用しなくても下糸ごと生地の裏側の刺繍箇所をカッターなどで削ぎ取り完全除去して仕上げる。
【発明の詳細な説明】
【技術分野】
【０００１】  本発明は、刺繍加工の方法で、仕上がった状態が下糸のない状態にするものである。
【発明の開示】
【発明が解決しようとする課題】
【０００２】  従来、刺繍加工を施した場合、刺繍をした裏側は下糸と上糸とが絡めてあり、これが肌に直接ふれるとチクチク感があり不快であった。【０００３】  これを刺繍した後に下糸を除去する事で解消するのが課題である。
【課題を解決するための手段】
【０００４】  刺繍をする生地（１）の上に圧着シート（２）を乗せ、圧着シート（２）ごと刺繍する。【０００５】  このとき、刺繍の下糸（３）を水溶性のものを使用して刺繍する。【０００６】  その後、圧着シート（２）の作用により、刺繍の上糸（４）と刺繍をする生地（１）とを圧着させ、その後、刺繍の下糸（３）を水で溶かして仕上げる。【０００７】  本発明は、以上の構成より成る下糸のない刺繍である。
【発明の効果】
【０００８】  刺繍の裏側は、上糸と下糸とが絡み合い、この絡んでいる箇所が意外に固く、肌に触れるとチクチク感になり不快である。【０００９】  これを、下糸を取除く事によりチクチク感を解消する効果が得る事ができる。【００１０】  以下、本発明の形態を説明する。【００１１】  刺繍をする生地（１）の表面に圧着のシート（２）を乗せる。【００１２】  刺繍をする生地（１）に圧着シート（２）ごと刺繍をする。【００１３】  このとき、水溶性の下糸（３）を使用して刺繍する。【００１４】  刺繍をした後、圧着シート（２）を刺繍していない不要な箇所を取除き、その後刺繍をする生地（１）と刺繍の上糸（４）とを圧着する。【００１５】  水溶性の下糸（３）を水で溶かして完全に除去する。【００１６】  本発明は以上の構成より成る。
【実施例】
【００１７】  Ｔシャツ、ポロシャツといった刺繍した箇所が直接肌に触れるような製品に使用する。【００１８】  これにより刺繍箇所が直接肌に触れてもチクチク感が解消される。
【産業上の利用の可能性】
【００１９】  Ｔシャツ，ポロシャツ、ブラウスなど肌に直接触れる可能性があるものに使用できる。
【図面の簡単な説明】
【００２０】
【図１】  刺繍をした直後の表面斜視図
【図２】  熱圧着シートの不要部分を除去した斜視図
【図３】  刺繍をした後の生地裏側、水溶性の下糸を除去する前の斜視図
【図４】  刺繍をした後の生地裏側、水溶性の下糸を除去した後の斜視図
【符号の説明】
【００２１】  （１）刺繍をする生地  （２）圧着シート  （３）水溶性の下糸  （４）刺繍の上糸
【図１】
2012251281.tif 000003
【図２】
2012251281.tif 000004
【図３】
2012251281.tif 000005
【図４】
2012251281.tif 000006